(57)【要約】      （修正有）【課題】基板対基板電気コネクタを提供すること。【解決手段】基板対基板電気コネクタは、第1の絶縁基板、オスコンタクト１１１を有する複数のオス端子、オスステータ、からなるオスコネクタと、第2の絶縁基板、複数のメス端子を備え、各メス端子は、メスリードと、メスリードから屈曲方向に延びるオスコンタクトと係合するためのメスコンタクト２１１を有し、オスステータと係合するメスステータからなるメスコネクタと、を具備する。オスコンタクトは閉じたリング形状であり、その外面に形成された少なくとも1つの突起１１３を有し、メスコンタクトの第1の凸部２１１０とこれに並んで設置された第2の凸部２１１１との間に形成された受容空洞２１１２内に拘束され、その外面は、第1、第2の凸部と接触し、第1、第2の凸部に前後に屈曲させられたメスコンタクトのアームが形成され、突起は第1、第2の凸部に係止する方法で係合する。【選択図】図４
2008305796.tif 000002
【特許請求の範囲】
【請求項１】
オスコネクタ(1)およびメスコネクタ(2)を備える、基板対基板コネクタであって、
前記オスコネクタ(1)が、第1の絶縁基板(10)と、該第1の絶縁基板(10)と一体に成形されオスコンタクト(111)を有する複数のオス端子(11)と、該第1の絶縁基板(10)の各端部に配置されたオスステータ(100)とを備え、
前記メスコネクタ(2)が、第2の絶縁基板(20)と、該第2の絶縁基板(20)内で受けられる複数のメス端子(21)とを備え、各メス端子(21)が、メスリード(210)と、回路をオンにするために前記メスリード(210)から前記オスコンタクト(111)と係合するための屈曲方向に延びるメスコンタクト(211)と有し、前記メスコネクタ(2)がさらに、前記第2の絶縁基板(20)の各端部に配置された、前記オスステータ(100)と係合するメスステータ(200)を備える、基板対基板電気コネクタにおいて、
各オスコンタクト(111)が、その外面に形成された少なくとも1つの突起(113)を有する閉リング形状であり、前記オスコンタクト(111)は、前記メスコンタクト(211)の第1の凸部(2110)と、該第1の凸部(2110)と並んで設置された第2の凸部(2111)との間に形成された受容空洞(2112)内に拘束され、前記オスコンタクト(111)の外面が、前記第1の凸部(2110)および前記第2の凸部(2111)とそれぞれ接触し、アームをそれぞれ有する前記第1の凸部(2110)および前記第2の凸部(2111)が、前後に屈曲することによって前記メスコンタクト(211)から形成され、前記突起(113)が、前記第1の凸部(2110)または前記第2の凸部(2111)に係止する方法で係合していることを特徴とする、基板対基板電気コネクタ。
【請求項２】
前記第2の絶縁基板(20)には、2つの対向する側壁にそれぞれ設置された2つの第3の凹部(208)を有する第1のリブ(207)が形成され、
前記第1の絶縁基板(10)には、前記第1のリブ(207)に合致させるための第4の凹部(105)が形成され、
前記第4の凹部(105)は、2つの対向する側壁にそれぞれ設置された、前記第3の凹部(208)に合致させるための2つの第2のリブ(106)を有している、請求項1に記載の基板対基板電気コネクタ。
【請求項３】
前記第2の絶縁基板(20)は、その長手方向に沿って設置された、前記メスコンタクト(211)を受けるための複数の端子スロット(206)を有し、
前記第1の凸部(2110)には、前記メスリード(210)付近のアームの2つの側面に線対称の関係で、各端子スロット(206)の2つの側壁ときつく係合するための2つの第3の歯部(2113)が形成されている、請求項1に記載の基板対基板電気コネクタ。
【請求項４】
前記オスステータ(100)はU字形であり、
一方の側壁には第1の凹み(101)が形成されており、該第1の凹み(101)は、その2つの側面から線対称に突出して、前記第2の絶縁基板(20)の端部にきつく係合する2つの第1の歯部(1010)を有している、請求項1に記載の基板対基板電気コネクタ。
【請求項５】
前記メスステータ(200)はU字形であり、
一方の側壁には第2の凹み(201)が形成されており、もう一方の壁部には、少なくとも1つの突起(2011)が前記第2の絶縁基板(20)の端部ときつく係合するように形成されており、
前記第2の凹み(201)は、その2つの側面から線対称に突出して、前記第2の絶縁基板(20)の前記端部ときつく係合する2つの第2の歯部(2010)を有している、請求項1または2に記載の基板対基板電気コネクタ。
【請求項６】
前記メスリード(210)付近のアーム上において、前記第１の凸部(2110)に第2の凹部(2114)が形成される、請求項1に記載の基板対基板電気コネクタ。
【請求項７】
前記メス端子(11)はそれぞれ、前記オスコンタクト(111)の前記外面に形成された係止凹部(1110)内に一方の端部が配置される、オスリード(110)をさらに備える、請求項1に記載の基板対基板電気コネクタ。
【請求項８】
前記オスリード(210)がZ字形である、請求項7に記載の基板対基板電気コネクタ。
【請求項９】
前記オスコンタクト(111)に、前記係止凹部(1110)の下方の凹部(1111)が形成される、請求項7に記載の基板対基板電気コネクタ。
【請求項１０】
前記突起(113)が、前記オスリード(110)から離れた一方の側部にて誘導スロープ(1130)を有する、請求項7に記載の基板対基板電気コネクタ。
【発明の詳細な説明】
【技術分野】
【０００１】
本発明は、電気コネクタに関し、より詳細には、2つの別々のワイヤストック同士、またはワイヤストック(wire stock)とフレキシブルプリント回路基板(FPC)とを接続する、電気コネクタに関する。
【背景技術】
【０００２】
現在、基板対基板(BTB)電気コネクタ製品シリーズの大半は、0.4mmを超える端子間隔を有し、1.2mmを超える高さを有している。サイズが小さいことを特徴とする電子製品は、より小さなコネクタを必要とするが、技術的に困難であることから、より小さなサイズのコネクタは依然として市販されていないのが現状である。
【発明の開示】
【発明が解決しようとする課題】
【０００３】
したがって、本発明の目的は、極めて小さい体積および高度な接続安定性を有し、小型化要求を満足する電気コネクタを提供することである。
【課題を解決するための手段】
【０００４】
上記で説明した目的を達成するために、以下の技術計画(scheme)による基板対基板電気コネクタが提供される。
【０００５】
基板対基板電気コネクタは、オスコネクタを備え、該オスコネクタは、第1の絶縁基板と、第1の絶縁基板と一体に成形された、オスコンタクトを有する複数のオス端子と、第1の絶縁基板の各端部に配置されたオスステータとからなり、基板対基板電気コネクタはさらにメスコネクタを備え、該メスコネクタは、第2の絶縁基板と、第2の絶縁基板内で受けられる複数のメス端子とを備え、各メス端子は、メスリードと、電気回路をオンにすることができるようにオスコンタクトと係合するための、メスリードから屈曲方向に延びるメスコンタクトとを有し、メスコネクタはさらに、第2の絶縁基板の各端部に配置された、オスステータと係合するメスステータとからなるものである。各オスコンタクトは、閉じたリング形状であり、その外面に形成された少なくとも1つの突起を有し、前記メスコンタクトの第1の凸部と第1の凸部に並んで設置された第2の凸部との間に形成された受容空洞内に拘束され、オスコンタクトの2つの対向する側部の外面は、第1の凸部および第2の凸部とそれぞれ接触し、第1の凸部および第2の凸部に、前後に屈曲させられたメスコンタクトのアームが形成され、前記突起は、前記第1の凸部または前記第2の凸部と係止する方法で係合している。
【０００６】
また、第2の絶縁基板には、その2つの対向する側壁にそれぞれ設置された第3の凹部を有する第1のリブが形成され、第1の絶縁基板には、前記第1のリブに合致させるための第4の凹部が形成され、前記第4の凹部は、2つの対向する側壁にそれぞれ設置された、前記第3の凹部に合致させるための第2のリブを有している。
【０００７】
また、第2の絶縁基板は、その長手方向に沿って設置された、メスコンタクトを受けるための複数の端子スロットを有しており、メスコンタクトの第1の凸部の、メスリード付近のアームの表面にて、前記端子スロットの側壁ときつく係合するための第3の歯部が形成される。
【０００８】
また、オスステータはU字形であり、その側壁には第1の凹みが形成され、第1の凹みは、その側面から突出して前記第2の絶縁基板ときつく係合するための第1の歯部を有している。
【０００９】
また、メスステータはU字形であり、一方の側壁に形成された第2の凹みと、前記第2の絶縁基板の端部ときつく係合させるための、もう一方の側壁に形成された少なくとも1つの突起を有しており、第2の凹みは、その側面から突出して第2の絶縁基板の端部ときつく係合させるための第2の歯部を有している。
【００１０】
また、メスリード付近のアーム上において、第1の凸部には第2の凹部が形成される。各メス端子は、前記オスコンタクトの外面に形成された係止凹部内に一方の端部が配置される、オスリードをさらに備えている。ここで、オスリードは、Z字形である。
【００１１】
また、オスコンタクトに、係止凹部下方に配置された凹部が形成されている。
【００１２】
また、突起の、オスリードから離れた側部には、メスコンタクトに向かって傾斜する誘導スロープが形成されている。
【００１３】
従来技術と比較した場合に、本発明は以下のような利点を有する。
【００１４】
すなわち、オスコンタクトの閉じたリングが、メスコンタクトの2つの対向する凸部の間に形成された受容空洞内に拘束され、突起が2つの凸部のいずれか一方に係止される方法で係合することにより、オス端子とメス端子の接続が確実になるという利点である。さらに、オスコンタクトおよびメスコンタクト双方の形状により、より小さなサイズの電気コネクタを実現することができるという利点である。
【発明を実施するための最良の形態】
【００１５】
図1から図14を参照すると、本発明の実施形態による基板対基板電気コネクタは、いずれも平坦な形状の、オスコネクタ1およびメスコネクタ2で構成される。
【００１６】
オスコネクタ1は、第1の絶縁基板10、第1の絶縁基板10と一体に成形された複数の配列されたオス端子11、および、第1の絶縁基板10の開いた端部にそれぞれ設置されたオスステータ100を備える。
【００１７】
メスコネクタ2は、第2の絶縁基板20、第2の絶縁基板20の端子スロット206内に配置された、複数の配列されたメス端子21、および、第2の絶縁基板20の開いた端部にそれぞれ設置されたメスステータ200を有する。
【００１８】
各オス端子11の端部は、垂直方向に屈曲され、次いで後方に屈曲されて、オスリード110を受容するための接合部にて係止凹部1110を有するオスコンタクト111を画成する、閉じたリングを形成する。各オスコンタクト111には、成形後に不適切なはんだ付けが生じないようにプラスチックで充填される、係止凹部1110下方の凹部1111、および、メスコンタクト211に面する外部表面に形成された突起113が形成され、突起113は、オスコネクタ1をメスコネクタ2内に円滑に挿入することができるように、メスコンタクト211に向かって傾く誘導スロープ1130を有する。オスリード110はZ字形であり、オス端子11が完全にスズめっきされることを保証する。
【００１９】
メス端子21はそれぞれ、メスリード210、および、オスコンタクト111と接触するようにメスリード210の一方の端部から延びる、メスコンタクト211を備える。メスコンタクト211は、第1の凸部2110を形成するように部分的に前後に屈曲させられたアームを有し、アームの端部は、第1の凹部2110に対向する第2の凸部2111を形成するようにさらに曲げられる。2つの凸部は、互いに並んで設置され、それらの間に受容空洞2112が形成される。オスコンタクト111は、その2つの側面が第1の凸部2110および第2の凸部2111にそれぞれ接触する状態で、受容空洞2112内に拘束され、オスコンタクト111は同時に、突起113に係止する方法で係合し、その結果、オス端子11とメス端子21の間の接続が確実になる。
【００２０】
メスコンタクト211は、弾性を高めるために、多くの部分にて屈曲させられるべきである。これは、挿入工程中にもたらされる応力を分散させるのに有利である。さらに、突起113と第1の凸部2110の相互係止作用は、清浄化の役割も果たすことができる。また、第1の凸部2110には、メスリード210の付近のアームの2つの側面にてそれぞれ、以下で議論される1対の第3の歯部2113が形成される。
【００２１】
オスステータ100およびメスステータ200はいずれもU字形であり、前者は、第1の突起102を有し、後者には、第1の突起102と合致する第1の凹部202が形成される。オスステータ100の1つの側壁の中央部分に、第1の凹み101があり、第1の凹み101は、その2つの側面から突出する、1対の第1の線対称歯部1010を有する。メスステータ200はまた、その側壁の中央部分に、1対の第2の線対称歯部2010を備える第2の凹み201を有する。第1の歯部1010は、第1の絶縁基板10の側壁ときつく係合し、第2の歯部2010は、第2の絶縁基板20の側壁ときつく係合する。さらに、別の側壁にある2つの突起2011がメスステータ200に形成され、突起2011は、第2の絶縁基板20ときつく係合し、メスステータ200が第2の絶縁基板20から外れないようにメスステータ200の保持力を高める。
【００２２】
第2の絶縁基板20は、複数の端子スロット206を有し、複数の端子スロット206は、メス端子21が不整合を伴わずに位置合わせされるように、前記第1の凸部2110のアームおよびメスコネクタ211の屈曲アームを受けるための空間を画成する。
【００２３】
第1の凸部2110は、第3の歯部2113の中央部分にそれぞれ形成された、2つの第2の凹部2114を有する。第2の凹部2114は、矩形またはその他の形状となっている。凹部2114は、メス端子21がスズめっきされる際にはんだ付けの増大を防止することができる。
【００２４】
メスコンタクト211の屈曲アームは蓋6で覆われ、これは、オスコネクタ1とメスコネクタ2とを取り外すときに、メス端子21が突出することを防止する。
【００２５】
第2の絶縁基板20には、2つの対向する側壁にてそれぞれ設置される第3の凹部208を有する第1のリブ207が形成され、第1の絶縁基板10には、第1のリブ207と合致するための第4の凹部105が形成され、第4の凹部105は、2つの対向する側壁にてそれぞれ設置される、第3の凹部208と合致するための第2のリブ106を有している。
【図面の簡単な説明】
【００２６】
【図１】本発明によるオスコネクタおよびメスコネクタを示す斜視図である。
【図２】本発明によるオス端子を示す概略図である。
【図３】本発明によるメス端子を示す概略図である。
【図４】オス端子とメス端子の係合を示す概略図である。
【図５】本発明によるオスステータを示す概略図である。
【図６】本発明によるメスステータを示す概略図である。
【図７】本発明によるオスステータとメスステータの係合を示す概略図である。
【図８】オスステータと、第1の絶縁基板の開いた端部との係合を示す概略図である。
【図９】メスステータと、第2の絶縁基板の開いた端部との係合を示す概略図である。
【図１０】本発明によるオスコネクタを示す拡大断面図である。
【図１１】本発明によるメスコネクタを示す断面図である。
【図１２】メス端子と第2の絶縁基板の係合を示す概略図である。
【図１３】メスコネクタを示す概略図である。
【図１４】オスコネクタを示す概略図である。
【符号の説明】
【００２７】
1  オスコネクタ
2  メスコネクタ
10  第1の絶縁基板
11  オス端子
20  第2の絶縁基板
21  メス端子
100  オスステータ
101  第1の凹み
102  第1の突起
110  オスリード
111  オスコンタクト
113  突起
200  メスステータ
201  第2の凹み
202  第1の凹部
206  端子スロット
207  第1のリブ
208  第3の凹部
210  メスリード
211  メスコンタクト
1010  第1の歯部
1110  係止凹部
1111  凹部
1130  誘導スロープ
2011  突起
2110  第1の凸部
2111  第2の凸部
2112  受容空洞
2113  第3の歯部
2114  第2の凹部
【図１】
2008305796.tif 000003
【図２】
2008305796.tif 000004
【図３】
2008305796.tif 000005
【図４】
2008305796.tif 000006
【図５】
2008305796.tif 000007
【図６】
2008305796.tif 000008
【図７】
2008305796.tif 000009
【図８】
2008305796.tif 000010
【図９】
2008305796.tif 000011
【図１０】
2008305796.tif 000012
【図１１】
2008305796.tif 000013
【図１２】
2008305796.tif 000014
【図１３】
2008305796.tif 000015
【図１４】
2008305796.tif 000016